(57)【特許請求の範囲】
【請求項１】
回動可能な指針と文字板を備えた第１の表示部と、
前記指針の回動範囲にわたって前記文字板の平面に対して第１の相対角度をもって前記第１の表示部を覆う略切頭円錐状のハーフミラー反射面を有するハーフミラーと、
前記ハーフミラー反射面に対して第２の相対角度をもって前記ハーフミラーの外周に配置される、表示意匠が形成された表示面を有する略切頭円錐状の第２の表示部と、
前記第２の表示部に光を照射して前記ハーフミラー反射面で反射させる光源とを備え、  前記第１および第２の相対角度が異なる角度に設定されていることを特徴とする車両用表示装置。
【請求項２】
請求項１記載の車両用表示装置において、
前記第２の表示部は、前記指針が指示する表示意匠を含み、前記表示意匠は、前記ハーフミラー反射面の上側で反射される部分から下側で反射される部分へ向けて徐々に小さくなるように設けられていることを特徴とする車両用表示装置。
【請求項３】
請求項１または２記載の車両用表示装置において、
前記指針の上方に、前記略切頭円錐状のハーフミラー反射面の上部開口部から視認可能な液晶表示部等からなる第３の表示部をさらに備えたことを特徴とする車両用表示装置。
【請求項４】
請求項１から３のいずれか１項に記載の車両用表示装置において、
前記光源が配されている側に前記第２の表示部に沿って設けられた導光部材の延長部が、見返し板より突出しリング状照明部材として光輝することを特徴とする車両用表示装置。
【発明の詳細な説明】
【技術分野】
【０００１】
本発明は、車両用表示装置に関する。
【背景技術】
【０００２】
車両用表示装置として、回動動作する指針を実像とし、この指針に対応する数字、目盛等の指標部を虚像としてハーフミラーで合成表示したものが知られている（たとえば、特許文献１参照。）。
【０００３】
特許文献１に記載の車両用表示装置は、回動可能な指針を備えかつ視認者に面する角度にて配された、指針、目盛、文字等を含む第１の表示部と、第１の表示部の前方に設けられて第１の表示部に対して所定の角度で配置されたハーフミラー部と、第１の表示部に対して略直交する位置に設けられた第２の表示部を備え、第１の表示部が視認者に対して実像を以て視認されると共に、第２の表示部がハーフミラー部を介して虚像を以て第１の表示部の背景となるように視認され、第１の表示部の内容と第２の表示部の内容を重ね合わせて視認されることでそれぞれの視差を設けることなどにより立体感を体現するものである。
【先行技術文献】
【特許文献】
【０００４】
【特許文献１】特開２００５−３０８４８８号公報
【発明の概要】
【発明が解決しようとする課題】
【０００５】
しかしながら、上述の車両用表示装置は、第１の表示部の内容に第２の表示部の内容を重ね合わせるために、第２の表示部の大きさを第１の表示部と同等にする必要があり、これによって前方への張り出しが大きくなることで大型化すると共に、視点が遠くになることで視認性が悪化するという問題があった。
【０００６】
そこで本発明は、上述した課題に鑑み、実像表示と虚像表示を重ね合わせる際に構成を小型化できる車両用表示装置を提供することを目的としている。
【課題を解決するための手段】
【０００７】
上記課題を解決するためになされた請求項１記載の発明は、回動可能な指針と文字板を備えた第１の表示部と、前記指針の回動範囲にわたって前記文字板の平面に対して第１の相対角度をもって前記第１の表示部を覆う略切頭円錐状のハーフミラー反射面を有するハーフミラーと、前記ハーフミラー反射面に対して第２の相対角度をもって前記ハーフミラーの外周に配置される、表示意匠が形成された表示面を有する略切頭円錐状の第２の表示部と、前記第２の表示部に光を照射して前記ハーフミラー反射面で反射させる光源とを備え、前記第１および第２の相対角度が異なる角度に設定されていることを特徴とする。
【０００８】
請求項１記載の発明においては、回動可能な指針と文字板を備えた第１の表示部と、指針の回動範囲にわたって文字板の平面に対して第１の相対角度をもって第１の表示部を覆う略切頭円錐状のハーフミラー反射面を有するハーフミラーと、ハーフミラー反射面に対して第２の相対角度をもって前記ハーフミラーの外周に配置される、表示意匠が形成された表示面を有する略切頭円錐状の第２の表示部と、第２の表示部に光を照射してハーフミラー反射面で反射させる光源とを備えている。そして、第１および第２の相対角度が異なる角度に設定されている。それにより、第２の表示部を前方に大きく張り出すことなく設けることができ、小型化を図ることができると共に、視点が近くなることによって視認性が向上する。また、実像として表示される指針と虚像として表示される第２の表示部が交差するように視認されることで斬新な見た目を提供することができる。
【００１１】
上記課題を解決するためになされた請求項２記載の発明は、請求項１記載の車両用表示装置において、前記第２の表示部は、前記指針が指示する表示意匠を含み、前記表示意匠は、前記ハーフミラー反射面の上側で反射される部分から下側で反射される部分へ向けて徐々に小さくなるように設けられていることを特徴とする。
【００１２】
請求項２記載の発明においては、第２の表示部は、前記指針が指示する表示意匠を含み、前記表示意匠は、前記ハーフミラー反射面の上側で反射される部分から下側で反射される部分へ向けて徐々に小さくなるように設けられている。それにより、ハーフミラー反射面の形状に起因する虚像の歪みを低減でき、自然な表示を可能とする。
【００１３】
上記課題を解決するためになされた請求項３記載の発明は、請求項１または２記載の車両用表示装置において、前記指針の上方に、前記略切頭円錐状のハーフミラー反射面の上部開口部から視認可能な液晶表示部等からなる第３の表示部をさらに備えたことを特徴とする。
【００１４】
請求項３記載の発明においては、指針の上方に、略切頭円錐状のハーフミラー反射面の上部開口部から視認可能な液晶表示部等からなる第３の表示部をさらに備えている。それにより、液晶表示部の台座などをハーフミラー反射面によって覆うことができ、第３の表示部が浮かび上がって見えるようにすることができる。
【００１５】
上記課題を解決するためになされた請求項４記載の発明は、請求項１から３のいずれか１項に記載の車両用表示装置において、前記光源が配されている側に前記第２の表示部に沿って設けられた導光部材の延長部が、見返し板より突出しリング状照明部材として光輝することを特徴とする。
【００１６】
請求項４記載の発明においては、光源が配されている側に第２の表示部に沿って設けられた導光部材の延長部が、見返し板より突出しリング状照明部材として光輝する。それにより、導光部材の延長部が、第３の表示部の表示画面とハーフミラー反射面による表示意匠の虚像の周囲を取り囲んでリング状に発光し、斬新な見た目を提供することができる。
【発明の効果】
【００１７】
請求項１記載の発明によれば、第２の表示部を前方に大きく張り出すことなく設けることができ、小型化を図ることができると共に、視点が近くなることによって視認性が向上する。また、実像として表示される指針と虚像として表示される第２の表示部が交差するように視認されることで斬新な見た目を提供することができる。
【００１９】
請求項２記載の発明によれば、ハーフミラー反射面の形状に起因する虚像の歪みを低減でき、自然な表示を可能とする。
【００２０】
請求項３記載の発明によれば、液晶表示部の台座などをハーフミラー反射面によって覆うことができ、第３の表示部が浮かび上がって見えるようにすることができる。
【００２１】
請求項４記載の発明によれば、導光部材の延長部が、第３の表示部の表示画面とハーフミラー反射面による表示意匠の虚像の周囲を取り囲んでリング状に発光し、斬新な見た目を提供することができる。
【図面の簡単な説明】
【００２２】
【図１】本発明の第１の実施形態に係る車両用表示装置の断面図である。（第１の実施形態）
【図２】本発明の第１の実施形態に係る車両用表示装置の部分分解斜視図である。（第１の実施形態）
【図３】車両用表示装置と運転者のアイポイントの関係を説明する図である。（第１の実施形態）
【図４】（Ａ）および（Ｂ）は、それぞれ、表示意匠のサイズを説明する図である。（第１の実施形態）
【図５】虚像Ｘの視認状態を説明する図である。（第１の実施形態）
【図６】車両用表示装置の部分平面図である。（第１の実施形態）
【図７】車両用表示装置の虚像表示の一部を説明する図である。（第１の実施形態）
【図８】第１の実施形態の車両用表示装置の変形例における虚像Ｘの視認状態を説明する図である。（変形例）
【図９】本発明の第２の実施形態に係る車両用表示装置の断面図である。（第２の実施形態）
【図１０】本発明の第２の実施形態に係る車両用表示装置の部分分解斜視図である。（第２の実施形態）
【図１１】第２の実施形態による車両用表示装置を組み込んだ車載用コンビネーションメータを示す正面図である。（第２の実施形態）
【図１２】本発明の第３の実施形態に係る車両用表示装置の断面図である。（第３の実施形態）
【図１３】本発明の第３の実施形態に係る車両用表示装置の部分分解斜視図である。（第３の実施形態）
【図１４】本発明の第４の実施形態に係る車両用表示装置の断面図である。（第４の実施形態）
【図１５】本発明の第４の実施形態に係る車両用表示装置の部分分解斜視図である。（第４の実施形態）
【図１６】本発明の第５の実施形態に係る車両用表示装置の断面図である。（第５の実施形態）
【図１７】本発明の第６の実施形態に係る車両用表示装置の断面図である。（第６の実施形態）
【図１８】虚像Ｘ１〜Ｘ４の視認状態を説明する図である。（第６の実施形態）
【発明を実施するための形態】
【００２３】
以下、本発明の実施の形態について図面を参照して説明する。
【００２４】
（第１の実施形態）図１および図２は、それぞれ、本発明の第１の実施形態に係る車両用表示装置の断面図および部分分解斜視図である。車両用表示装置は、ケース１１、基板１２、内機１３、文字板１４、指針１５、ハーフミラー１６、表示板１７、見返し板１８および導光部材１９を備えている。
【００２５】
基板１２は、ケース１１の裏側に固定され、表側にＬＥＤ（発光ダイオード）からなる光源２０，２１，２２が実装されている。内機１３は、たとえばステッピングモータからなり、その回転軸１３ａが基板１２の表側に突出するように基板１２の裏側に固定されている。
【００２６】
文字板１４は、ケース１１の表側に固定され、その前面中心部に配置される指針１５の先端の回動を許容する円形平板状の文字板部１４ａと、文字板部１４ａの外周側に所定の高さの段差だけ高く環状に形成された環状部１４ｂとを有している。文字板部１４ａの表面には、ウォーニング意匠１４ａ１が形成されている。
【００２７】
指針１５は、回転中心部１５ａとこの回転中心部１５ａから延長された指示部１５ｂとからなる。回転中心部１５ａは、文字板１４の文字板部１４ａ上で指示部１５ｂが文字板
部１４ａの平面に対して平行に回動するように、基板１２の表側に通された内機１３の回転軸１３ａに取り付けられている。文字板１４および指針１５は、請求項における第１の表示部に相当する。
【００２８】
ハーフミラー１６は、指針１５の前方に配置され、文字板１４の環状部１４ｂ上に固定された環状基部１６ａと、環状基部１６ａからその径が次第に小さくなるように立ち上がり形成された略切頭円錐状のハーフミラー蒸着面１６ｂとを有している。ハーフミラー蒸着面１６ｂは、請求項におけるハーフミラー反射面に相当する。ハーフミラー蒸着面１６ｂは、文字板部１４ａの平面に対して第１の相対角度を有し、指針１５の回動範囲にわたって指針１５の指示部の一部と、文字板１４の文字板部１４ａの外周付近とを覆うように位置決めされている。
【００２９】
さらに、ハーフミラー蒸着面１６ｂは、図３に示すように、文字板１４の文字板部１４ａの平面に対して垂直な線であって、内機１３の回転軸１３ａの軸線と一致するように指針１５の回転中心部から延長した延長線ＰＬから運転者のアイポイントＥＰがずれた位置になるように車両に搭載される場合に適合した傾斜面となるように形成されている。図３においては、一例として、アイポイントが、指針１５の回転中心部から外れた位置であって、図中ハーフミラー蒸着面１６ｂの右側部分の真上であって左側部分を右斜め上から視認する位置にある場合を示している。すなわち、ハーフミラー１６のハーフミラー蒸着面１６ｂは、アイポイントＥＰから遠く視認される視認方向（言い換えると、延長線ＰＬに対する角度が大きくなる視認方向）Ａに対しては、文字板部１４ａの平面に対する第１の相対角度が小さくなる傾きとなり、アイポイントＥＰから近く視認される視認方向（言い換えると、延長線ＰＬに対する角度が小さくなる視認方向）Ｂに対しては、第１の相対角度が大きくなる傾きとなり、連続的に傾きが変化するように形成される。言い換えると、ハーフミラー蒸着面１６ｂは、その内周が、延長線ＰＬ上のアイポイントＥＰから見たときには楕円形状に見えるが、延長線ＰＬからはずれた斜め上方のアイポイントＥＰから見たときには正円形状に見えるように形成される。このハーフミラー蒸着面１６ｂは、後述する虚像Ｘの虚像表示エリアを構成する。
【００３０】
表示板１７は、ハーフミラー１６の環状基部１６ａ上に固定された環状基部１７ａと、環状基部１７ａからその径が次第に小さくなるように立ち上がり形成された略切頭円錐状の表示部１７ｂとを有している。表示部１７ｂには、たとえば速度計用の数字および目盛等の表示意匠１７ｂ１が光透過可能に形成されている。表示部１７ｂは、請求項における第２の表示部に相当する。表示板１７において、表示意匠１７ｂ１以外の部分は、遮光部である。表示板１７の構成は、たとえば上述の特許文献１の第１の実施形態に記載の構成やその他周知の構成とすることができる。すなわち、たとえば、遮光部を形成しない部分抜き領域にたとえば適宜着色インキを印刷することにより指針１５の指示部１５ｂの指示対象となる数値を示す数字意匠、文字意匠、目盛意匠等の光透過性の表示意匠１７ｂ１が形成されている。
【００３１】
表示部１７ｂに形成される表示意匠１７ｂ１は、たとえば図４の数字「０」の場合で示すように、ハーフミラー蒸着面１６ｂがほぼ円錐状の形状をしているためにハーフミラー蒸着面１６ｂで反射される際に生じる虚像の歪みを補正するべく、ハーフミラー蒸着面１６ｂの上側で反射される部分の幅ｗ２より下側で反射される部分の幅ｗ１へ向けて徐々に小さくなるように変形され、さらにアイポイントＥＰからの距離に応じて、アイポイントから近い側の数字の長さＬ１に比べてアイポイントから遠い側の数字の長さＬ２が長くなるように異なるサイズに変形されて形成されている。すなわち、表示意匠１７ｂ１は、アイポイントＥＰに近い側では図４（Ａ）のように、表示部１７ｂに幅Ｗ１，Ｗ２（＞Ｗ１）および長さＬ１のサイズで形成され、アイポイントＥＰから遠い側では図４（Ｂ）のように、表示部１７ｂに幅Ｗ１′（＞Ｗ１）、Ｗ２′（＞Ｗ２）およびＬ１′（＞Ｌ１）の
サイズで形成されており、それぞれアイポイントＥＰから見たときに、図４（Ｃ）に示すように幅Ｗ１および長さＬ１の歪みのない同じサイズに見えるように形成されている。このように、表示意匠１７ｂ１のサイズをハーフミラー蒸着面１６ｂの形状およびアイポイントＥＰからの遠近にしたがって変形、もしくは歪ませることは、上記の数字「０」に限らず、全ての数字、文字および目盛についても同様に行われている。
【００３２】
さらに、表示板１７の表示部１７ｂは、ハーフミラー１６のハーフミラー蒸着面１６ｂと同様に、文字板１４の文字板部１４ａの平面に対して垂直な線であって指針１５の回転中心部から延長した延長線ＰＬから運転者のアイポイントＥＰがずれた位置になるように車両に搭載される場合に適合すると共に、後述するように、表示意匠１７ａ１の表示像の虚像Ｘが、アイポイントＥＰから見たときに虚像表示エリア内で指針１５の指示部１５ｂの実像付近の位置にほぼ視差なく視認されるのに適合した斜面となるように形成されている。すなわち、図３においては、表示部１７ｂは、アイポイントＥＰから遠い視認方向Ａに対しては、文字板部１４ａの平面に対する相対角度が小さくなる傾きとなり、アイポイントＥＰから近い視認方向Ｂに対しては、文字板部１４ａの平面に対する相対角度が大きくなる傾きとなり、連続的に傾きが変化するように形成される。
【００３３】
見返し板１８は、文字板１４の文字板部１４ａと、指針１５と、ハーブミラー１６のハーフミラー蒸着面１６ｂとが上方から視認できるように形成された開口部を有し、表示板１７の上から外周側を隠すように配置されている。
【００３４】
導光部材１９は、合成樹脂材料によって、表示板１７の環状基部１７ａを取り巻く環状に形成され、光源２２の発光を表示板１７の表示部１７に導くようになっている。光源２２および導光部材１９は、請求項１における光源に相当する。
【００３５】
次に、上述の構成を有する車両用表示装置の照明表示状態について説明する。まず、光源２０がたとえば赤色で発光すると、その赤色光は指針１５に導入され、指示部１５ｂが赤色に発光する。そして、指針１５の指示部１５ｂは、その一部分が直接かつ残りの部分がハーフミラーを介して赤色に光輝する実像として、アイポイントＥＰの運転者に視認される。
【００３６】
次に、光源２１がたとえば赤色で発光すると、その赤色光はウォーニング意匠１４ａ１に導入され、ウォーニング意匠１４ａ１が赤色に照明される。
【００３７】
次に、光源２２がたとえば白色で発光すると、その白色光は導光部材１９を介して表示板１７の表示部１７ｂに導かれ、表示意匠１７ｂ１を通過することで、表示意匠１７ｂ１の表示像（発光表示像）が形成される。表示意匠１７ｂ１の表示像は、ハーフミラー１６のハーフミラー蒸着面１６ｂを介してアイポイントＥＰの運転者側に反射（投影）され、運転者には、文字板１４の文字板部１４ａの外周付近を背景として白色に光輝する虚像Ｘとして視認される。
【００３８】
この虚像Ｘは、アイポイントＥＰから見たときに、虚像表示エリア内で指針１５の指示部１５ｂの実像付近の位置にほぼ視差なく視認されるように、表示板１７の表示部１７ｂとハーフミラー１６のハーフミラー蒸着面１６ｂの間隔が設定されている。
【００３９】
図５は、虚像Ｘの視認状態を説明する図である。アイポイントＥＰから近く視認される視認方向Ｂに対しては、虚像Ｘは、文字板部１４ａの平面に平行に回動する指針１５の指示部１５ｂに対して一部が上方にかつ一部が下方に視認されるように設定されている。これは、ハーフミラー１６のハーフミラー蒸着面１６ｂを延長線ＰＬに対して所定の角度（４５°）で傾斜させると共に、表示板１７の表示部１７ｂを延長線ＰＬに対して上記所定
の角度（４５°）より小さい角度で傾斜させることにより実現される。言い換えると、これは、ハーフミラー１６のハーフミラー蒸着面１６ｂを、文字板部１４ａの平面に対する第１の相対角度が４５°となるように傾斜させると共に、表示板１７の表示部１７ｂを、ハーフミラー蒸着面１６ｂに対する第２の相対角度を４５°より小さい角度となるように傾斜させることにより実現される。
【００４０】
また、アイポイントＥＰから遠く視認される視認方向Ａに対しても、虚像Ｘは、視認方向Ｂと同様に、文字板部１４ａの平面に平行に回動する指針１５の指示部１５ｂに対して一部が上方にかつ一部が下方に視認されるように設定されている。そして、表示板１７の表示部１７ｂを、点線で示すように上述の所定の角度（４５°）より大きくなるようにさらに傾斜させると共に、ハーフミラー１６のハーフミラー蒸着面１６ｂも、点線で示すように所定の角度（４５°）より大きくなるようにさらに傾斜させることにより、視認方向Ｂから視認された場合と同じ位置かつ指針１５の指示部１５ｂに対して同じ角度で虚像Ｘが視認できるようにすることができる。言い換えると、これは、ハーフミラー１６のハーフミラー蒸着面１６ｂを、文字板部１４ａの平面に対する第１の相対角度が４５°より小さくなるように傾斜させると共に、表示板１７の表示部１７ｂを、ハーフミラー蒸着面１６ｂに対する第２の相対角度を第１の相対角度と同じ角度変化分だけ小さくなるように傾斜させることにより実現される。
【００４１】
このように、第１の実施形態では、指針１５の指示部１５ｂの実像表示と、表示意匠１７ｂ１の表示像の虚像表示とをほぼ視差のない位置に視認できるようにすると共に、観察者のアイポイントとの位置関係のずれに起因して生じる虚像表示の視認性を改善しているので、虚像表示エリアを全周均一に視認することができる。また、指針１５の回転中心部から延長した延長線ＰＬから運転者のアイポイントＥＰがずれた位置になるように車両に搭載される場合でも、図６の部分平面図に示すように、虚像表示エリア内で文字板１６の文字板Ｂ１６ａ上に表示される表示意匠１７ｂ１の表示像を、アイポイントＥＰから歪みなく全周均一に視認することができる。
【００４２】
また、図７に示すように、ハーフミラー蒸着面１６ｂで反射（投影）される数字、たとえば「０」の虚像ＸをアイポイントＥＰから見た場合に、指針１５の指示部１５ｂの先端は、数字「０」の中間付近を回動するように配置されている。それにより、虚像Ｘとして表示される数字「０」の裏側から表側に向け、あたかも指針１５の指示部１５ｂの先端が突き刺さっているように視認される。
【００４３】
また、虚像Ｘは、表示意匠１７ｂ１が図４に示すように、アイポイントＥＰからの距離に応じて異なるサイズに変形されて形成されているので、アイポイントＥＰからの距離が変わっても同じサイズで視認される。
【００４４】
このように、第１の実施形態によれば、指針１５の指示部１５の実像表示と、表示意匠１７ｂ１の表示像の虚像表示の視差に起因して生じる虚像表示の視認性を改善し、指示部１５の実像表示と表示意匠１７ｂ１の表示像の虚像表示をほぼ視差なく視認することができるので見栄えが良くなると共に、車両用表示装置がその中心からアイポイントＥＰが外れた位置になるように車両に搭載される際に、観察者のアイポイントとの位置関係のずれに起因して生じる虚像表示の視認性を改善し、虚像表示エリアおよび虚像エリアに表示される数字、文字、目盛等の表示意匠を、全周にわたってアイポイントＥＰから歪みなく均一に視認することができる。また、ハーフミラー蒸着面１６ｂで反射（投影）される表示意匠１７ｂ１の表示像の虚像Ｘを指針１５の指示部１５ｂの実像付近に交差するように視認することができるので、中空状態の意匠となって奥行きと立体感を強調できることはもちろん、斬新な虚像表示を表現することが可能となる。
【００４５】
なお、第１の実施形態の変形例として、図８に示すように、アイポイントＥＰから近く視認される視認方向Ｂおよび視認方向Ａの両方に対して、虚像Ｘの全体が、文字板部１４ａの平面に平行に回動する指針１５の指示部１５ｂに対して平行に視認されるように設定することもできる。これは、アイポイントＥＰから近く視認される視認方向Ｂに対して、表示板１７の表示部１７ｂを延長線ＰＬに平行になるようにすると共に、ハーフミラー１６のハーフミラー蒸着面１６ｂを延長線ＰＬに対して所定の角度（４５°）で傾斜させ、アイポイントＥＰから遠く視認される視認方向Ａに対しては、表示板１７の表示部１７ｂを、点線で示すように延長線ＰＬに対して適宜な角度だけ傾斜させると共に、ハーフミラー１６のハーフミラー蒸着面１６ｂも、点線で示すように所定の角度（４５°）よりさらに適宜な角度まで傾斜させることにより、視認方向Ｂから視認された場合と同じ位置かつ指針１５の指示部１５ｂに対して平行な角度で虚像Ｘが視認できるようにすることができる。
【００４６】
（第２の実施形態）次に、図９および図１０は、それぞれ、本発明の第２の実施形態に係る車両用表示装置の断面図および部分分解斜視図である。なお、第２の実施形態において、第１の実施形態と同一の構成要素は、同一符号を付して説明する。
【００４７】
第２の実施形態の車両用表示装置は、ケース１１、基板１２、内機１３、指針１５、ハーフミラー１６、表示板１７、見返し板１８、導光部材１９、光源用基板２３、光源用基板２４、ＬＣＤケース２９、ＬＣＤ用基板３０、コネクタ３１、コネクタ３２、ＬＣＤドライバ３３、ＬＣＤ用光源３４、ＬＣＤ（液晶ディスプレイ）３５、ＢＥＦシート３６、ベゼル３７、接続コネクタ３８およびリング部３９を備えている。ＬＣＤ３５は、請求項における第３の表示部に相当する。
【００４８】
基板１２の表側には、ＣＰＵ２５、他の電子部品２６、ＦＰＣコネクタ２７が搭載されている。基板２３は、第１の実施形態における文字板１４と同じ位置に配置されたほぼ円盤状の板体からなり、中央にほぼ円形の開口部２３ａが形成され、開口部２３ａに突出するように突出部２３ｂが形成され、開口部２３ａの内周の一部に切り欠き部２３ｃが形成されている。基板２３は、切り欠き部２３ｃがケース１１から突出した係合爪４０に係合することにより、ケース１１上に固定されている。指針１５の指示部１５ｂは、基板２３の板体の平面上で回動可能なように配置されている。基板２３の外周付近には、複数の接続コネクタ３８が搭載されており、これらの接続コネクタ３８には、複数の小型の基板２４がほぼ垂直になるように結合されている。複数の基板２４には、それぞれ、光源２２が導光部材１９に対向するように実装されている。基板２３の突出部２３ｂには、コネクタ３１が搭載されている。
【００４９】
ＬＣＤケース２９には、ＬＣＤ用基板３０と、このＬＣＤ用基板から間隔をおいてＬＣＤ３５が収容されている。ＬＣＤ用基板３０の表側にはＬＥＤからなり、ＬＣＤ３５のバックライトとなるＬＣＤ用光源３４が実装され、裏側にはＩＣ等からなるＬＣＤドライバ３３と、コネクタ３１に結合するコネクタ３２が搭載されている。ＬＣＤ３５は、ＬＣＤ用光源３４に対向する裏側にＢＥＦシート３６が配置され、表側は表示画面となっている。ＬＣＤ３５の表側にはベゼル３７が取り付けられている。
【００５０】
ＬＣＤ３５およびベゼル３７は、ハーフミラー１６のハーフミラー蒸着面１６ｂの内側上部に形成される開口部を塞ぐように配置されている。
【００５１】
基板１２上に実装されたＦＰＣコネクタ２７には、基板２３の端部から延出され、基板２３の配線と接続されたＦＰＣ２８が結合され、基板１２側と、基板２３および光源２２を電気的に接続すると共に、コネクタ３１および３３を介してＬＣＤ３５を電気的に接続している。リング部３９は、導光部材１９の延長部分であり、見返し板１８の内周付近よ
り上部に突出するように形成されている。
【００５２】
上述の構成においては、光源２２の発光により、第１の実施形態と同様に、表示板１７の表示部１７ｂに形成された表示意匠１７ｂ１の表示像の虚像Ｘが、指針１５の指示部１５ｂの付近に視認される。
【００５３】
そして、指針１５の指示部１５ｂは、その根本側がＬＣＤ３５およびベゼル３７に隠されるが、その先端側がベゼル３７の外周側から、表示意匠１７ｂ１の表示像の虚像Ｘと共に視認される。
【００５４】
このように、第２の実施形態によれば、ＬＣＤ３５およびベゼル３７は、ハーフミラー１６のハーフミラー蒸着面１６ｂの内側上部に形成される開口部を塞ぐように配置されているので、第１の実施形態における指針１５の回転中心部１５ａと虚像Ｘが投影される場所の間のスペース部分と同じ場所に、ＬＣＤ３５の画面により車両の走行状態に関連する色々な情報を表示させることができる。また、ＬＣＤケース２９は、ＬＣＤ３５およびベゼル３７に隠れてほとんど視認されず、より立体的な意匠を見た目を損なうことなく達成することができる。
【００５５】
また、光源２２の発光により、リング部３９が、ハーフミラー蒸着面１６ｂの外周を取り囲んで、したがってＬＣＤ３５の画面とハーフミラー１６による表示意匠１７ｂ１の虚像Ｘとの周囲を取り囲んで、発光し、斬新な見た目を提供することができる。
【００５６】
図１１は、第２の実施形態による車両用表示装置を組み込んだ車載用コンビネーションメータを示す正面図である。この車載用コンビネーションメータ５０は、ケース６０と見返し板１２０の間に、第２の実施形態の車両用表示装置と同一構成の速度計７０と回転計８０を備え、さらに、水温計９０、燃料計１００、ウォーニング表示部１１０を備え、これらの前方に表ガラス１３０が配置されている。
【００５７】
速度計７０および回転計８０は、指針１５の指示部１５ｂと表示意匠１７ｂ１の表示像の虚像Ｘとで、それぞれ車速およびエンジン回転数を表示し、その中央部に配置されたＬＣＤ３５の画面に、他の車両関連情報を表示することができる。
【００５８】
（第３の実施形態）次に、図１２よび図１３は、それぞれ、本発明の第３の実施形態に係る車両用表示装置の断面図および部分分解斜視図である。なお、第３の実施形態において、第１および第２の実施形態と同一の構成要素は、同一符号を付して説明する。
【００５９】
第３の実施形態の車両用表示装置は、ケース１１、基板１２、内機１３、指針１５、ハーフミラー１６、表示板１７、見返し板１８、導光部材１９、基板４１、指針照明用導光部材４２を備えている。
【００６０】
内機１３は、その係合爪１３ｂにより基板１２の表側に固定されている。内機１３の上部には、基板４１が固定されている。基板４１には、光源２０と、内機１３駆動用の電気部品が実装されている。
【００６１】
指針１５は、その回転中心部１５ａが、ハーフミラー１６のハーフミラー蒸着面１６ｂの上部開口部に位置するように内機１３の回転軸１３ａに固定されており、指示部１５ｂは、この回転中心部１５ａからケース１１方向に傾斜するように形成されている。指示部１５ｂの裏側には、指針照明用導光部材４２が固定されている。
【００６２】
指針照明用導光部材４２は、基板４２に実装された光源２１の方向へ延びた受光部４２
ａと、反射部４２ｂと、延長部４２ｃを備えている。受光部４２ａは、光源２０からの発光を受光し、反射部４２ｂにて反射し、延長部４２ｃを介して指示部１５ｂを発光させる。
【００６３】
ハーフミラー１６は、ケース１１上に固定された環状基部１６ａと、環状基部１６ａからその径が次第に小さくなるように立ち上がり形成され、指針１５の前方に指示部１５ｂ全体を覆うように配置された切頭円錐状のハーフミラー蒸着面１６ｂとを有している。ハーフミラー蒸着面１６ｂは、全周にわたって、指針１５の指示部１５ｂの上面と平行であって内機１３の回転軸１３ａの軸線と直交する平面に対して一様な傾斜角度（４５°）を持つ傾斜面となるように形成されている。
【００６４】
表示板１７は、ハーフミラー１６の環状基部１６ａ上に固定された環状基部１７ａと、環状基部１７ａからその径が次第に小さくなるように立ち上がり形成された切頭円錐状の表示部１７ｂと、表示部１７ｂから垂直に延長される円筒状の垂直部１７ｃとを有している。表示部１７ｂは、全周にわたってハーフミラー蒸着面１６ｂと同一の傾斜角度（４５°）を持つ傾斜面となるように形成されている。表示部１７ｂには、たとえば速度計用の数字および目盛等の表示意匠１７ｂ１が光透過可能に形成されている。
【００６５】
すなわち、ハーフミラー１６のハーフミラー蒸着面１６ｂを、指針１５の指示部１５ｂの上面との第１の相対角度が０°となるように傾斜させると共に、表示板１７の表示部１７ｂも、ハーフミラー蒸着面１６ｂに対する第２の相対角度が０°となるように傾斜させている。
【００６６】
見返し板１８は、指針１５の回転中心部１５ａと、ハーフミラー１６のハーフミラー蒸着面１６ｂとが上方から視認できるように形成された開口部を有し、表示板１７の垂直部１７ｃの端部から外周側を隠すように垂直部１７ｃに係合されている。
【００６７】
導光部材１９は、合成樹脂材料によって、表示板１７の環状基部１７ａを取り巻く環状に形成され、光源２２の発光を表示板１７の表示部１７に導くようになっている。
【００６８】
次に、上述の構成を有する車両用表示装置の照明表示状態について説明する。まず、光源２０がたとえば赤色で発光すると、その赤色光は、指針照明用導光部材４２の受光部４２ａで受光され、反射部４２ｂで反射されて、指針１５の指示部１５ｂに導入され、指示部１５ｂが赤色に発光する。そして、指針１５の指示部１５ｂは、その全体がハーフミラー蒸着面１６ｂを介して、赤色に光輝する実像として観察者に視認される。
【００６９】
次に、光源２２がたとえば白色で発光すると、その白色光は導光部材１９を介して表示板１７の表示部１７ｂに導かれ、表示意匠１７ｂ１を通過することで、表示意匠１７ｂ１の表示像（発光表示像）が形成される。表示意匠１７ｂ１の表示像は、ハーフミラー１６のハーフミラー蒸着面１６ｂを介して観察者側に反射（投影）され、観察者には、白色に光輝する虚像Ｘとして視認される。
【００７０】
この虚像Ｘは、傾斜した指針１５の指示部１５ｂの上面にほぼ視差なく平行に視認されるように、表示板１７の表示部１７ｂとハーフミラー１６のハーフミラー蒸着面１６ｂの間隔Ｌ４と、表示板１７の表示部１７ｂの傾斜角度と、ハーフミラー１６のハーフミラー蒸着面１６ｂの傾斜角度が設定されている。
【００７１】
このように第３の実施形態によれば、指針１５の指示部１５の実像表示と、表示意匠１７ｂ１の表示像の虚像表示の視差に起因して生じる虚像表示の視認性を改善し、指示部１５の実像表示と表示意匠１７ｂ１の表示像の虚像表示をほぼ視差なく視認することができ
るので見栄えが良くなる。
【００７２】
（第４の実施形態）次に、図１４および図１５は、本発明の第４の実施形態に係る車両用表示装置の断面図および部分分解斜視図である。この第４の実施形態は、上述の第３の実施形態の変形例となる構造を有する。第４の実施形態の車両用表示装置では、第１の実施形態と同様に、内機１３が基板１２の裏側に搭載され、光源２０が表側に実装されている。指針１５は、その回転中心部１５ａが、ハーフミラー１６のハーフミラー蒸着面１６ｂの上部開口部の下部に位置するように内機１３の回転軸１３ａに固定されており、指示部１５ｂは、この回転中心部１５ａからケース１１方向に傾斜するように形成されている。また、指示部１５ｂは、観察者側から見たときにハーフミラー蒸着面１６ｂと重ならない範囲Ｓ１の指示部１５ｂの発光部分を持つように配置されている。
【００７３】
指針１５は、図１５に示すように、回転中心部１５ａの一部となるキャップ１５ａ１から延長され、指示部１５ｂの一部となる延長部１５ｂ１と、指針袴１５ｃから延長された延長部１５ｃ１の間に指針照明用導光部材４２が挟まれた構造を有し、キャップ１５ａ１内にバランサが取り付けられている。指針照明用導光部材４２は、基板４２に実装された光源２１の方向へ延びた受光部４２ａと、反射部４２ｂと、延長部４２ｃを備えている。
【００７４】
さらに、指針照明用導光部材４２の延長部４２ｃと延長部１５ｂ１の間にフィルタ部材４３が挟み込まれている。このフィルタ部材４３は、ハーフミラー１６のハーフミラー蒸着面１６ｂの色（灰色系）と同系の色を有し、観察者側から見たときにハーフミラー蒸着面１６ｂと重ならない範囲Ｓ１の指示部１５ｂの発光部分に配置される。
【００７５】
上述の構成において、光源２０がたとえば赤色で発光すると、その赤色光は、指針照明用導光部材４２の受光部４２ａで受光され、反射部４２ｂで反射されて、指針１５の指示部１５ｂに導入され、指示部１５ｂが赤色に発光する。このとき、観察者側から見たときにハーフミラー蒸着面１６ｂと重なる範囲Ｓ２の指示部１５ｂの発光部分は、ハーフミラー蒸着面１６ｂの色（灰色系）と重なり見栄えが悪くなるが、ハーフミラー蒸着面１６ｂと重ならない範囲Ｓ１の指示部１５ｂの発光部分に、ハーフミラー蒸着面１６ｂの色（灰色系）と同系色のフィルタ部材４３が配置されているので、指針１５の指示部１５ｂ全体の発光色が均一化されて観察者に視認される。
【００７６】
このように第４の実施形態によれば、観察者側から見たときにハーフミラー蒸着面１６ｂと重ならない範囲Ｓ１の指示部１５ｂの発光部分に、ハーフミラー蒸着面１６ｂの色と同系色のフィルタ部材４３を配置することにより、指針１５の指示部１５ｂ全体の発光色が均一化されて観察者に視認されるので、見栄えが良くなる。
【００７７】
（第５の実施形態）次に、図１６は、本発明の第５の実施形態に係る車両用表示装置の断面図および部分分解斜視図である。この第５の実施形態は、上述の第３の実施形態のさらなる変形例となる構造を有する。第５の実施形態の車両用表示装置では、第１の実施形態と同様に、内機１３が基板１２の裏側に搭載され、光源２０が表側に実装されている。
【００７８】
指針１５は、その回転中心部１５ａが、ハーフミラー１６のハーフミラー蒸着面１６ｂの上部開口部の下部に位置するように内機１３の回転軸１３ａに固定されており、指示部１５ｂは、この回転中心部１５ａからケース１１方向に傾斜するように形成されている。また、指示部１５ｂは、観察者側から見たときにハーフミラー蒸着面１６ｂと重ならない範囲Ｓ１の指示部１５ｂの発光部分を持つように配置されている。また、指針１５は、図１４と同様の構成を有するが、フィルタ部材４３は備えられていない。
【００７９】
さらに、ハーフミラー蒸着面１６ｂの上部開口部には、ハーフミラー蒸着面１６ｂの色
（灰色系）と同系色のスモーク材等からなる蓋体４５が固定されている。
【００８０】
また、表示板１７の表示部１７ｂの傾斜角度は、図１４の表示部１７ｂの傾斜角度よりも垂直方向に大きな角度を有し、それにより、虚像Ｘが、傾斜した指針１５の指示部１５ｂの上面と交差してほぼ視差なく水平に視認されるようになっている。したがって、ハーフミラー蒸着面１６ｂで反射（投影）される虚像Ｘを観察者側から見た場合に、傾斜した指針１５の指示部１５ｂの先端が、虚像Ｘを斜め上から突き刺するように視認される。
【００８１】
このように第５の実施形態によれば、ハーフミラー蒸着面１６ｂの色と同系色のスモーク材からなる蓋体４５をハーフミラー蒸着面１６ｂの上部開口部を覆うように配置したので、観察者側から見たときにハーフミラー蒸着面１６ｂと重ならない範囲Ｓ１の指示部１５ｂの発光部分が蓋体４５を介して見え、その結果指針１５の指示部１５ｂ全体の発光色が均一化され強調されて観察者に視認され、見栄えが良くなる。
【００８２】
また、ハーフミラー蒸着面１６ｂで反射（投影）される表示意匠１７ｂ１の表示像の虚像Ｘを傾斜した指針１５の指示部１５ｂの実像付近に交差するように水平に視認することができるので、中空状態の意匠となって奥行きと立体感を強調できることはもちろん、斬新な虚像表示を表現することが可能となる。
【００８３】
（第６の実施形態）次に、図１７は、本発明の第６の実施形態に係る車両用表示装置の断面図である。この第６の実施形態は、上述の第３の実施形態のさらなる変形例となる構造を有する。
【００８４】
第６の実施形態の車両用表示装置では、第１の実施形態と同様に、内機１３が基板１２の裏側に搭載され、光源２０が表側に実装されている。指針１５は、その回転中心部１５ａが、ハーフミラー１６のハーフミラー蒸着面１６ｂの上部開口部の下部に位置するように内機１３の回転軸１３ａに固定されており、指示部１５ｂは、この回転中心部１５ａからケース１１方向に傾斜するように形成されている。また、指示部１５ｂは、観察者側から見たときにハーフミラー蒸着面１６ｂと重ならない範囲の指示部１５ｂの発光部分を持つように配置されている。
【００８５】
ハーフミラー１６は、指針１５の前方に配置され、ケース１１上に固定された環状基部１６ａと、環状基部１６ａからその径が次第に小さくなるように立ち上がり形成された切頭円錐状のハーフミラー蒸着面１６ｂとを有している。ハーフミラー蒸着面１６ｂは、全周にわたって一様な傾斜角度（４５°）を持つ傾斜面となるように形成されている。
【００８６】
ハーフミラー１６の環状基部１６ａからハーフミラー蒸着面１６ｂが立ち上がる部分と、後述する表示板１７の環状基部１７ａから表示部１７ｂが立ち上がる部分の間にある環状基部１６ａの部分には、第１の背景色表示部１６ａ１が光透過可能に形成されている。この第１の背景色表示部１６ａ１には、たとえば青色の着色インキが印刷されている。
【００８７】
表示板１７は、ハーフミラー１６の環状基部１６ａ上に固定された環状基部１７ａと、環状基部１７ａからその径が次第に小さくなるように立ち上がり形成された切頭円錐状の表示部１７ｂと、表示部１７ｂから水平方向に外側に延出する水平部１７ｄと、水平部１７ｄから垂直に延長される垂直部１７ｃとを有している。表示部１７ｂは、全周にわたって一様な所定の傾斜角度を持つ傾斜面となるように形成されている。表示部１７ｂには、たとえば速度計用の目盛を表す表示意匠１７ｂ１が光透過可能に形成されている。表示意匠１７ｂ１には、たとえば黄色の着色インキが印刷されている。垂直部１７ｃには、たとえば速度計用の数字を表す表示意匠１７ｃ１が光透過可能に形成されている。表示意匠１７ｃ１には、たとえば赤色の着色インキが印刷されている。水平部１７ｄには、第２の背
景色表示部１７ｄ１が光透過可能に形成されている。この第２の背景色表示部１７ｄ１には、たとえば緑色の着色インキが印刷されている。
【００８８】
表示部１７ｂの表示意匠１７ｂ１には、面照射可能な構成のＬＥＤおよび導光部材を含む光源装置５１からの白色光が照射される。それにより、表示意匠１７ｂ１の表示像の虚像Ｘ１は、黄色の目盛として、傾斜した指針１５の指示部１５ｂの上面にほぼ視差なく平行に視認される。
【００８９】
垂直部１７ｃの表示意匠１７ｃ１には、面照射可能な構成のＬＥＤおよび導光部材を含む光源装置５２からの白色光が照射される。それにより、表示意匠１７ｃ１の表示像の虚像Ｘ２は、赤色の数字として、傾斜した指針１５の指示部１５ｂの若干下側に視差少なく水平に視認される。
【００９０】
また、光源装置５１からの白色光は、表示部１７ｂの表面で反射され、この反射光により第２の背景色表示部１７ｄ１が照射される。それにより、垂直部１７ｃの表示意匠１７ｃ１が形成されている板面が第２の背景色表示部１７ｄ１に近い側が濃い緑色になりかつ遠い側が次第に薄い緑色となるようにグラデーション的に濃度が変化する背景色となって照明される。そのため、この背景色は、ハーフミラー蒸着面１６ｂで反射（投影）され、虚像Ｘ３として表示意匠１７ｃ１の表示像の虚像Ｘ２の背景色となるように観察者側から視認される。
【００９１】
すなわち、図１８に示すように、虚像Ｘ３（１７ｄ１）が視認される範囲Ｓ３において、指針１５の回転中心部１５ａから遠い部分Ｓ３′では濃い緑、回転中心部１５ａに近い部分Ｓ３″では薄い緑となり、数字の虚像Ｘ２（１７ｃ１）に対するグラデーション的背景色として視認される。
【００９２】
また、ＬＥＤ等からなる光源５３の白色光は、ケース１１の開口部１１ａを介して第１の背景色表示部１６ａ１に照射される。開口部１１ａおよび背景色表示部１６ａ１は、請求項１１における第１の照明手段に相当する。それにより、表示部１７ｂの表示意匠１７ｂ１が形成されている板面が第１の背景色表示部１６ａ１に近い側が濃い青色になりかつ遠い側が次第に薄い青色となるようにグラデーション的に濃度が変化する背景色となって照明される。そのため、この背景色は、ハーフミラー蒸着面１６ｂで反射（投影）され、虚像Ｘ４として表示意匠１７ｂ１の表示像の虚像Ｘ１の背景色となるように観察者側から視認される。
【００９３】
すなわち、図１８に示すように、虚像Ｘ４（１６ａ１）が視認される範囲Ｓ４において、指針１５の回転中心部１５ａから遠い部分Ｓ４′では濃い青色、回転中心部１５ａに近い部分Ｓ４″では薄い青色となり、目盛の虚像Ｘ１（１７ｂ１）に対するグラデーション的背景色として視認される。
【００９４】
このように第６の実施形態によれば、ハーフミラー蒸着面１６ｂで反射（投影）される表示意匠１７ｂ１の表示像の虚像Ｘ１が傾斜した指針１５の指示部１５ｂの上側に平行に視認され、かつ表示意匠１７ｃ１の表示像の虚像Ｘ２が傾斜した指針１５の指示部１５ｂの下側に水平に視認されるので、さらに奥行きと立体感を強調できることはもちろん、斬新な虚像表示を表現することが可能となる。
【００９５】
また、表示意匠１７ｂ１の表示像の虚像Ｘ１および表示意匠１７ｃ１の表示像の虚像Ｘ２の背景として、それぞれ、異なる色のグラデーション的背景色が視認されるように構成したので、さらに演出性および斬新性のある虚像表示とすることができる。
【００９６】
以上の通り、本発明の実施形態について説明したが、本発明はこれに限らず、種々の変形、応用が可能である。
【００９７】
たとえば、上述の第１の実施形態では、ハーフミラー蒸着面１６ｂおよび表示部１７ｂを略切頭円錐状となるように形成したが、これに限らず、対応する目盛や数字の表示意匠の各々に対して適宜な傾斜角度を持つ複数の不連続な平面を連結した構成としても良い。
【符号の説明】
【００９８】
１１ａ  開口部
１４  文字板（第１の表示部の一部）
１５  指針（第１の表示部の一部）
１５ａ  回転中心部
１５ｂ  指示部
１６    ハーフミラー
１６ｂ  ハーフミラー蒸着面（ハーフミラー反射面）
１７    表示板
１７ｂ  表示部（第２の表示部）
１９    導光部材（光源の一部）
２２    光源
３５    ＬＣＤ（第３の表示部）
３９    リング部
【図１】
0005318979.tif 000002
【図２】
0005318979.tif 000003
【図３】
0005318979.tif 000004
【図４】
0005318979.tif 000005
【図５】
0005318979.tif 000006
【図６】
0005318979.tif 000007
【図７】
0005318979.tif 000008
【図８】
0005318979.tif 000009
【図９】
0005318979.tif 000010
【図１０】
0005318979.tif 000011
【図１１】
0005318979.tif 000012
【図１２】
0005318979.tif 000013
【図１３】
0005318979.tif 000014
【図１４】
0005318979.tif 000015
【図１５】
0005318979.tif 000016
【図１６】
0005318979.tif 000017
【図１７】
0005318979.tif 000018
【図１８】
0005318979.tif 000019